(57)【要約】【課題】  興味を引くコンテンツを簡易な操作で検索し得る表示制御装置を得る。【解決手段】  表示制御部３７は、拡大された注目画像Ｔの表示領域内であって、該表示領域内に存してポインタ３２の位置に関わらず注目画像Ｔの拡大を維持する不感帯領域７３から外れてポインタ３２が位置していると位置検知部３５で検知されたとき、当該外れて位置している側に隣接する画像を新しい注目画像ＮＴとみなして、前記注目画像であった画像７１に代えて、その他の画像より拡大して、縮小画像列４１を表示画面上に表示する。従って、興味を引くコンテンツを簡易な操作で検索し得る表示制御態様を実現することができる。【選択図】  図５
2011076434.tif 000002
【特許請求の範囲】
【請求項１】
表示画面上に、静止画像、該静止画像に関連する動画像、同静止画像の縮小画像が帯状に複数連なる縮小画像列、並びに当該表示画面上の位置を指示するポインタを表示するための画像表示部と、
前記ポインタの位置を検知する位置検知部と、
前記縮小画像列の画像のうちいずれかの注目画像の上に前記ポインタが位置していると前記位置検知部で検知されたとき、当該注目画像をその他の画像より拡大して、当該縮小画像列を前記表示画面上に表示する表示制御部と、
を備え、前記注目画像の選択操作によって該注目画像に係る静止画像及び該静止画像に関連する動画像のうち少なくとも一方を再生可能な画像再生装置に用いられる表示制御装置において、
前記表示制御部は、前記拡大された注目画像の表示領域内であって、該表示領域内に存して前記ポインタの位置に関わらず前記注目画像の拡大を維持する不感帯領域から外れて当該ポインタが位置していると前記位置検知部で検知されたとき、当該外れて位置している側に隣接する画像を新しい注目画像とみなして、前記注目画像であった画像に代えて、その他の画像より拡大して表示する、
ことを特徴とする表示制御装置。
【請求項２】
請求項１記載の表示制御装置であって、
前記注目画像の不感帯領域は、当該注目画像に対応する縮小画像が占める表示領域に基づいて設定された、
ことを特徴とする表示制御装置。
【請求項３】
請求項１又は２に記載の表示制御装置であって、
前記表示制御部は、前記注目画像を頂点として前記拡大を漸次小さくした山なり形状で前記縮小画像列を前記表示画面上に表示する、
ことを特徴とする表示制御装置。
【請求項４】
表示画面上に、静止画像、該静止画像に関連する動画像、同静止画像の縮小画像が帯状に複数連なる縮小画像列、並びに当該表示画面上の位置を指示するポインタを表示するための画像表示工程と、
前記ポインタの位置を検知する位置検知工程と、
前記縮小画像列の画像のうちいずれかの注目画像の上に前記ポインタが位置していると前記位置検知工程で検知されたとき、当該注目画像をその他の画像より拡大して、当該縮小画像列を前記表示画面上に表示する表示制御工程と、
を備え、前記注目画像の選択操作によって該注目画像に係る静止画像及び該静止画像に関連する動画像のうち少なくとも一方を再生可能な画像再生装置に用いられる表示制御方法において、
前記表示制御工程では、前記拡大された注目画像の表示領域内であって、該表示領域内に存して前記ポインタの位置に関わらず前記注目画像の拡大を維持する不感帯領域から外れて前記ポインタが位置していると前記位置検知工程で検知されたとき、当該外れて位置している側に隣接する画像を新しい注目画像とみなして、前記注目画像であった画像に代えて、その他の画像より拡大して表示する、
ことを特徴とする表示制御方法。
【請求項５】
表示画面上に、静止画像、該静止画像に関連する動画像、同静止画像の縮小画像が帯状に複数連なる縮小画像列、並びに当該表示画面上の位置を指示するポインタを表示するための画像表示工程と、
前記ポインタの位置を検知する位置検知工程と、
前記縮小画像列の画像のうちいずれかの注目画像の上に前記ポインタが位置していると前記位置検知工程で検知されたとき、当該注目画像をその他の画像より拡大して、当該縮小画像列を前記表示画面上に表示する表示制御工程と、
を、前記注目画像の選択操作によって該注目画像に係る静止画像及び該静止画像に関連する動画像のうち少なくとも一方を再生可能な画像再生機能を有するコンピュータに実現させる表示制御プログラムにおいて、
前記表示制御工程では、前記拡大された注目画像の表示領域内であって、該表示領域内に存して前記ポインタの位置に関わらず前記注目画像の拡大を維持する不感帯領域から外れて前記ポインタが位置していると前記位置検知工程で検知されたとき、当該外れて位置している側に隣接する画像を新しい注目画像とみなして、前記注目画像であった画像に代えて、その他の画像より拡大して表示する、
ことを特徴とする表示制御プログラム。
【請求項６】
請求項５記載の表示制御プログラムであって、
前記注目画像の不感帯領域は、当該注目画像に対応する縮小画像が占める表示領域に基づいて設定された、
ことを特徴とする表示制御プログラム。
【請求項７】
請求項５又は６に記載の表示制御プログラムであって、
前記表示制御工程では、前記注目画像を頂点として前記拡大を漸次小さくした山なり形状で前記縮小画像列を前記表示画面上に表示する、
ことを特徴とする表示制御プログラム。
【請求項８】
表示画面上に、静止画像、該静止画像に関連する動画像、同静止画像の縮小画像が帯状に複数連なる縮小画像列、並びに当該表示画面上の位置を指示するポインタを表示するための画像表示工程と、
前記ポインタの位置を検知する位置検知工程と、
前記縮小画像列の画像のうちいずれかの注目画像の上に前記ポインタが位置していると前記位置検知工程で検知されたとき、当該注目画像をその他の画像より拡大して、当該縮小画像列を前記表示画面上に表示する表示制御工程と、
を、前記注目画像の選択操作によって該注目画像に係る静止画像に関連する動画像を同期再生可能な画像再生機能を有するコンピュータに実現させる表示制御プログラムにおいて、
前記表示制御工程では、前記拡大された注目画像の表示領域内であって、該表示領域内に存して前記ポインタの位置に関わらず前記注目画像の拡大を維持する不感帯領域から外れて当該ポインタが位置していると前記位置検知工程で検知されたとき、当該外れて位置している側に隣接する画像を新しい注目画像とみなして、前記注目画像であった画像に代えて、当該新しい注目画像をその他の画像より拡大して、当該新しい注目画像を頂点として前記拡大を漸次小さくした山なり形状で前記縮小画像列を前記表示画面上に表示し、
前記縮小画像列の複数の各画像が前記注目画像となったときの各画像毎の不感帯領域は、当該縮小画像列の上に前記ポインタが位置していないときに前記複数の各画像のうち該当する画像が占める表示領域に基づいて設定された、
ことを特徴とする表示制御プログラム。
【請求項９】
表示画面上に、静止画像、該静止画像に関連する動画像、同静止画像の縮小画像が帯状に複数連なる縮小画像列、並びに当該表示画面上の位置を指示するポインタを表示するための画像表示工程と、
前記ポインタの位置を検知する位置検知工程と、
前記縮小画像列の画像のうちいずれかの注目画像の上に前記ポインタが位置していると前記位置検知工程で検知されたとき、当該注目画像をその他の画像より拡大して、当該縮小画像列を前記表示画面上に表示する表示制御工程と、
を、前記注目画像の選択操作によって該注目画像に係る静止画像及び該静止画像に関連する動画像のうち少なくとも一方を再生可能な画像再生機能を有するコンピュータに実現させる表示制御プログラムにおいて、
前記表示制御工程では、前記拡大された注目画像の表示領域内であって、該表示領域内に存して前記ポインタの位置に関わらず前記注目画像の拡大を維持する不感帯領域から外れて前記ポインタが位置していると前記位置検知工程で検知されたとき、当該外れて位置している側に隣接する画像を新しい注目画像とみなして、前記注目画像であった画像に代えて、その他の画像より拡大して表示する、
表示制御プログラムを記録したコンピュータが読み取り可能な記録媒体。
【発明の詳細な説明】
【技術分野】
【０００１】
本発明は、静止画像と該静止画像に関連すると動画像とを同期再生可能な画像再生装置に関する。本発明は、ユーザの興味を引くコンテンツを簡易な操作で検索し得る表示制御態様を実現可能な表示制御装置、表示制御方法、表示制御プログラム、及び表示制御プログラムを記録した記録媒体に関する。
【背景技術】
【０００２】
静止画像と該静止画像に関連すると動画像とを同期再生可能な画像再生装置は、例えば特許文献１に記載されている。
【０００３】
前記特許文献１に記載の画像再生装置によれば、動画像と該動画像に関連する静止画像とを含んだ所要の視聴覚コンテンツを簡易に取得して再生することができる。
【０００４】
一方、静止画像の閲覧をより効率的に行うために、様々な表示制御技術が提案されている。
【０００５】
このうち、例えば特許文献２には、ポインタの位置を検知し、ポインタが現在位置している表示領域に対応した画像を拡大表示し、ポインタがその他の画像の表示領域に移動すると、拡大されていた画像を元のサイズに戻して表示する技術が記載されている。
【０００６】
しかしながら、前記特許文献１の画像再生装置に、前記特許文献２の表示制御技術を適用しても、取得した視聴覚コンテンツのなかから、ユーザの興味を引くコンテンツを簡易な操作で検索することはできない。
【０００７】
すなわち、特許文献１の画像検索技術を用いて視聴覚コンテンツを取得したユーザは、興味を引く箇所を大雑把に検索するために、コンテンツの早送り・巻き戻しを行いながら再生することがある。この際、ユーザの興味を引くコンテンツを簡易な操作で検索することができれば、ユーザの利便性向上に資するに違いない。
【０００８】
しかるに、前記特許文献２の表示制御技術では、あるコンテンツを注目画像として拡大表示させている状態で、今度はこの注目画像に隣接する画像を拡大して見たいとの要請が生じた場合に、前記拡大された注目画像の表示領域から、この表示領域に隣接する画像の表示領域に至るまで大きくポインタを移動させなければならない。このポインタの移動操作、つまりポインティングデバイスの移動操作は煩に耐えない。従って、ユーザの興味を引くコンテンツを簡易な操作で検索することはできなかった。
【先行技術文献】
【特許文献】
【０００９】
【特許文献１】特開２００２−７４７８号公報
【特許文献２】特開２００９−１７５９３５号公報
【発明の概要】
【発明が解決しようとする課題】
【００１０】
解決しようとする問題点は、従来技術では、ユーザの興味を引くコンテンツを簡易な操作で検索することはできなかった点である。
【課題を解決するための手段】
【００１１】
本発明は、ユーザの興味を引くコンテンツを簡易な操作で検索し得る表示制御態様を実現可能な表示制御装置、表示制御方法、表示制御プログラム、及び表示制御プログラムを記録した記録媒体を得ることを目的とする。
【００１２】
前記目的を達成するために、本発明に係る表示制御装置は、表示画面上に、静止画像、該静止画像に関連する動画像、同静止画像の縮小画像が帯状に複数連なる縮小画像列、並びに当該表示画面上の位置を指示するポインタを表示するための画像表示部と、前記ポインタの位置を検知する位置検知部と、前記縮小画像列の画像のうちいずれかの注目画像の上に前記ポインタが位置していると前記位置検知部で検知されたとき、当該注目画像をその他の画像より拡大して、当該縮小画像列を前記表示画面上に表示する表示制御部と、を備え、前記注目画像の選択操作によって該注目画像に係る静止画像及び該静止画像に関連する動画像のうち少なくとも一方を再生可能な画像再生装置に用いられる表示制御装置において、前記表示制御部は、前記拡大された注目画像の表示領域内であって、該表示領域内に存して前記ポインタの位置に関わらず前記注目画像の拡大を維持する不感帯領域から外れて当該ポインタが位置していると前記位置検知部で検知されたとき、当該外れて位置している側に隣接する画像を新しい注目画像とみなして、前記注目画像であった画像に代えて、その他の画像より拡大して表示する、ことを最も主要な特徴とする。
【発明の効果】
【００１３】
本発明に係る表示制御装置によれば、表示制御部は、拡大された注目画像の表示領域内であって、該表示領域内に存して前記ポインタの位置に関わらず前記注目画像の拡大を維持する不感帯領域から外れてポインタが位置していると位置検知部で検知されたとき、当該外れて位置している側に隣接する画像を新しい注目画像とみなして、前記注目画像であった画像に代えて、その他の画像より拡大して表示するので、従って、興味を引くコンテンツを簡易な操作で検索可能な表示制御態様を実現することができる。
【図面の簡単な説明】
【００１４】
【図１】図１（Ａ），（Ｂ）は、実施例に係る表示制御装置のブロック構成図である。
【図２】実施例に係る表示制御装置周辺のブロック構成図である。
【図３】実施例に係る表示制御装置のユーザインタフェースを示す説明図である。
【図４】実施例に係る表示制御装置の動作を示すフローチャート図である。
【図５】図５（Ａ），（Ｂ）は、注目画像の上にポインタを位置させたときの実施例に係る表示制御装置の動作説明に供する図である。
【図６】図６（Ａ），（Ｂ）は、注目画像のポインタ指示位置を後方向に移動させたときの実施例に係る表示制御装置の動作説明に供する図である。
【図７】図７（Ａ），（Ｂ）は、注目画像のポインタ指示位置を前方向に移動させたときの実施例に係る表示制御装置の動作説明に供する図である。
【発明を実施するための形態】
【００１５】
興味を引くコンテンツを簡易な操作で検索し得る表示制御態様を実現するといった目的を、拡大された注目画像の表示領域内であって、該表示領域内に存して前記ポインタの位置に関わらず前記注目画像の拡大を維持する不感帯領域から外れてポインタが位置していると位置検知部で検知されたとき、不感帯領域から外れて位置している側に隣接する画像を新しい注目画像とみなしてその他の画像より拡大して表示する表示制御部によって実現した。
【実施例】
【００１６】
以下、本発明実施例に係る表示制御装置について、図面を参照しつつ詳細に説明する。
［表示制御装置の概要］
初めに、実施例に係る表示制御装置の概要について説明する。
【００１７】
図１（Ａ），（Ｂ）は、実施例に係る表示制御装置のブロック構成図である。
【００１８】
実施例に係る表示制御装置１１は、静止画像と該静止画像に関連すると動画像とを同期再生可能な画像再生装置に用いられるものである。この表示制御装置１１は、図１（Ａ）に示すように、ＣＰＵ１３、ＲＯＭ１５、ＲＡＭ１７、ＨＤＤ１９、ネットワークＩ／Ｆ２１、並びにこれらの間を接続するシステムバス２３を有するコンピュータを主体として構成されている。
【００１９】
前記ＣＰＵ（Ｃｅｎｔｒａｌ Ｐｒｏｃｅｓｓｉｎｇ Ｕｎｉｔ）１３は、表示制御装置であるパーソナルコンピュータを制御する。
【００２０】
前記ＲＯＭ（Ｒｅａｄ Ｏｎｌｙ Ｍｅｍｏｒｙ）１５には、本発明に係る表示制御プログラムを初めとして、種々のプログラムやデータ等が格納されている。
【００２１】
前記ＲＡＭ（Ｒａｎｄｏｍ Ａｃｃｅｓｓ Ｍｅｍｏｒｙ）１７は、コンピュータの主記憶装置としての役割を果たす。このＲＡＭ１７は、ＣＰＵ１３のワークエリアとして機能し、プログラムやデータはＲＡＭ１７上に展開される。前記プログラムは、表示制御を行うプログラムコードであり、ＣＰＵ１３を介して実行される。
【００２２】
前記ＨＤＤ（Ｈａｒｄ Ｄｉｓｋ Ｄｒｉｖｅ）１９は、ＣＰＵ１３で実行される各種制御プログラムや、動画像ファイル、静止画像ファイル、又はテキストファイルなどのコンテンツファイル等を格納する。表示制御プログラムやコンテンツファイルが前記ＨＤＤ１９に記録されている場合、このＨＤＤ１９経由でＲＡＭ１７のワークエリアにロードされる。前記ＨＤＤ１９に代えて、又は加えて、例えばＤＶＤ−ＲＷドライブ、ＣＤ−ＲＯＭ、ＣＤ−Ｒ、ＤＶＤ−ＲＡＭなどの光ディスクや、フレキシブルディスク、ＭＯなどの磁気ディスク、またフラッシュメモリなどの不揮発性メモリを接続する構成を採用してもよい。
【００２３】
ネットワークＩ／Ｆ２１は、ネットワークに接続するためのインターフェイスである。このネットワークＩ／Ｆ２１を介して、ＬＡＮ（Ｌｏｃａｌ Ａｒｅａ Ｎｅｔｗｏｒｋ）やＷＷＷ（Ｗｏｒｌｄ Ｗｉｄｅ Ｗｅｂ）などに接続することで、アクセス可能なサーバ等に記録されている各種プログラムやコンテンツファイル等をダウンロードすることができる。
【００２４】
前記システムバス２３には、ＶＲＡＭ２５、サウンドデバイス２７、キーボード２９、及びマウス等のポインティングデバイス３１が接続されている。
【００２５】
前記ＶＲＡＭ（Ｖｉｄｅｏ ＲＡＭ）２５は、画像データや実行されたプログラムのＵＩ（Ｕｓｅｒ Ｉｎｔｅｒｆａｃｅ）などの映像信号を出力する。このＶＲＡＭ２５に接続されたディスプレイ３３は、本発明の”画像表示部”に相当するものであり、ＶＲＡＭ２５によって入力された映像信号の表示処理を実行する。
【００２６】
前記サウンドデバイス２７は、例えば、動画データに添付された音声データを処理し、スピーカなどに転送する。
【００２７】
前記キーボード２９は、各種キーが配置され、文字などを入力する際に用いられる。
【００２８】
前記マウス３１は、前記ディスプレイ３３の表示画面上に表示されて当該表示画面上の位置を指示するポインタ３２（図３参照）を制御することによって、プログラムの項目やその他のオブジェクトを操作入力する際に用いられる。
【００２９】
上述のように構成された表示制御装置１１は、その機能の観点から解釈すると、図１（Ｂ）に示すように、位置検知部３５と、表示制御部３７と、画像表示部３９と、を含んで構成されている。
【００３０】
前記位置検知部３５は、前記マウス３１をユーザが操作することによって前記ディスプレイ３３の表示画面上に表示されたポインタ３２の位置を検知する。該ポインタ３２の位置を検知するには、マウス３１の操作入力値と、ディスプレイ３３上におけるポインタ３２の二次元座標値との関係テーブルを例えばＲＯＭ１５などの記録媒体に記録しておき、前記関係テーブルを参照することによって、ポインタ３２の移動検知に係る判定を行えばよい。
【００３１】
前記表示制御部３７は、静止画像の縮小画像（そのサイズは均一である。）が帯状に複数連なる縮小画像列４１の画像のうちいずれかの注目画像の上に前記ポインタ３２が位置していると前記位置検知部３５で検知されたとき、当該注目画像をその他の画像より拡大して、当該縮小画像列４１を前記ディスプレイ３３の表示画面上に表示する機能を有する。
【００３２】
また、前記表示制御部３７は、前記拡大された注目画像の表示領域内であって、該表示領域内に存して前記ポインタ３２の位置に関わらず前記注目画像Ｔの拡大を維持する不感帯領域から外れて当該ポインタ３２が位置していると前記位置検知部３５で検知されたとき、当該外れて位置している側に隣接する画像を新しい注目画像ＮＴとみなして、前記注目画像Ｔであった画像に代えて、その他の画像より拡大して、前記縮小画像列４１を前記ディスプレイ３３の表示画面上に表示する機能を有する。
【００３３】
前記画像表示部３９は、前記表示制御部３７によって制御された内容を表示する機能を有する。本実施例では、前記ディスプレイ３３が画像表示部３９に相当する。
【００３４】
一方、本発明の実施例に係る表示制御方法または表示制御プログラムは、前記位置検知部３５の機能を担う位置検知工程と、前記表示制御部３７の機能を担う表示制御工程と、前記画像表示部３９の機能を担う画像表示工程と、を含んで構成されている。
【００３５】
なお、本実施例では、実施例に係る表示制御プログラムを予めコンピュータにインストールしておき、このコンピュータを本実施例に係る表示制御装置として機能させる態様を適用した。
【００３６】
また、本実施例では、後述するように、インターネット等のネットワークを介してダウンロードした動画データ及び該動画データに関連する静止画像データ等を前記ＨＤＤ１９に記録し、該記録されたデータをＲＡＭ１７のワークエリアにロードした後、ＣＰＵ１３が所定の表示制御を実行する態様を適用した。
［表示制御装置周辺のブロック構成］
次に、実施例に係る表示制御装置周辺のブロック構成について説明する。
【００３７】
図２は、実施例に係る表示制御装置周辺のブロック構成図である。
【００３８】
図２に示す例は、例えば、最新の技術情報を交換するために開催される学術会議の状況を視聴覚コンテンツとしてまとめ、これをユーザに提供するものである。この視聴覚コンテンツには、講演者の講演の映像を記録した動画情報、講演者の講演の音声情報、講演者が講演に用いたスライド、アニメーション等のマテリアル（主としてスライドの静止画像を対象とする。）が含まれる。
【００３９】
また、本例では、例えばインターネット等のネットワークを介して接続されたクライアント・サーバ・システム経由で会議用コンテンツを取得する例をあげて説明する。ただし、イントラネット等の閉じたネットワーク経由で前記会議用コンテンツを取得してもよい。また、会議以外の用途、例えば、教育用や娯楽用のコンテンツを取得する構成を採用してもよい。
【００４０】
本実施例に係るクライアント端末（表示制御装置）１１には、ストリーミングサーバ５１と、コンテンツサーバ５３とが、ＷＷＷ等のネットワークを介して接続されている。
【００４１】
前記ストリーミングサーバ５１は、クライアント端末１１からの送出要求に従って、ストリーミングデータ（動画データ、音声データ）をクライアント端末１１宛に供給する。
【００４２】
前記コンテンツサーバ５３は、コンテンツデータベース５３ａと、スライド画像データファイル５３ｂとを含む。
【００４３】
前記コンテンツデータベース５３ａは、動画データとスライド画像データとを関連付けるための同期再生データ等の、会議用コンテンツの内容に関する種々の情報を保持する。
【００４４】
前記スライド画像データファイル５３ｂは、会議用コンテンツのスライド画像データを保持する。
【００４５】
前記コンテンツサーバ５３は、前記クライアント端末１１からの送出要求に従って、スライド画像データをクライアント端末１１宛に供給する。スライド画像データには、スライドの静止画像のサムネイル（縮小画像ファイル）が含まれる。ただし、前記クライアント端末１１において静止画像からサムネイル情報を簡易に取得できる場合には、サムネイルを取得することを要しない。
【００４６】
前記クライアント端末１１は、取得した会議用コンテンツを閲覧するためのブラウザソフトウェア（例えばウェブブラウザ）を実行することができる。コンテンツサーバ５３のコンテンツデータベース５３ａから取得される、動画データとスライド画像データとを関連付けるための同期再生データは、例えばＸＭＬ（拡張可能マークアップラングエッジ）で記述されている。このため、前記クライアント端末１１は、ＸＭＬファイル５５を閲覧する機能を有している。また、このクライアント端末１１には、動画オブジェクト等の各種オブジェクトを処理するためのプラグインソフトウェアが予めインストールされている。
【００４７】
上述のように構成されたクライアント端末１１によって、ビデオ再生（動画、音声）機能やスライド（静止画像）再生機能を実現することができる。
［ユーザインタフェイスの概要］
次に、実施例に係る表示制御装置のユーザインタフェイスについて説明する。
【００４８】
図３は、実施例に係る表示制御装置のユーザインタフェイスを示す説明図である。
【００４９】
図３に示すように、矩形状のコンテンツ閲覧ウィンドウ５９のうち、矩形状の動画用ウィンドウ６１には、講演者の講演の様子を示す動画が表示される。矩形状の静止画用ウィンドウ６３には、講演者が用いたスライドが表示される。スライドの表示内容は、講演者の講演の進行に同期して変化する。この変化のタイミングは、実際の講演と同じである。講演の音声や背景音楽、効果音等も、サウンドデバイス２７経由で出力される。
【００５０】
前記両ウィンドウ６１，６３の下側には、再生対象となるスライドの縮小画像列４１を一覧表示するための帯状の縮小画像列表示領域４１ａが設けられている。この縮小画像列表示領域４１ａに、再生対象となるスライドの縮小画像列４１が一覧表示される。
【００５１】
前記スライドの縮小画像列４１は、複数の縮小画像４２を並列に連設してなる。個々の縮小画像４２のサイズは、前記縮小画像列表示領域４１ａが有する所定の長手方向サイズＬと、前記縮小画像列４１に含まれるスライド枚数とによって決定される。前記縮小画像列４１のうちいずれかの縮小画像４２の上にポインタ３２が位置していないときの、当該縮小画像列４１に含まれる縮小画像４２のサイズを、以下では、縮小画像サイズと呼ぶ。
【００５２】
本実施例では、ユーザがマウス３１のボタンを操作することによって、前記縮小画像列４１のうちいずれかの縮小画像４２の上にポインタ３２を位置させると、同縮小画像４２が注目画像として拡大表示される。このときの注目画像Ｔの拡大画像サイズは、前記縮小画像サイズと比べてじゅうぶんに大きいサイズである。
【００５３】
また、前記のポインタ位置を維持したままでユーザがマウス３１のボタンを選択（クリック）操作することによって、同スライドの画像が静止画用ウィンドウ６３に表示される。これと同時に、前記選択操作されたスライドに同期した動画データの該当クリップ部分を先頭とする動画が動画用ウィンドウ６１に再生表示される。
【００５４】
なお、前記縮小画像列４１に含まれる複数の画像として、動画データのうち適宜の時間間隔で断片化した複数の静止画像クリップを採用してもよい。この場合、いずれかの静止画像クリップの上にポインタ３２を位置させると、同静止画像クリップが注目画像として拡大表示される。また、前記のポインタ位置を維持したままでユーザがマウス３１のボタンを選択（クリック）操作することによって、同静止画像クリップの画像が静止画用ウィンドウ６３に表示される。これと同時に、前記選択操作された静止画像クリップに同期した動画データの該当部分を先頭とする動画が動画用ウィンドウ６１に再生表示される。
【００５５】
前記縮小画像列表示領域４１ａの下側には、会議用コンテンツの再生停止・巻き戻し・早送り操作を行うためのボタン６５と、会議用コンテンツの進行状況を時間軸に沿って表示するためのタイムライン６７と、が設けられている。なお、符合６９は、前記タイムライン６７上におけるスライド資料の切り替わりポイントである。
［表示制御装置の動作］
次に、実施例に係る表示制御装置の動作について説明する。
【００５６】
図４は、実施例に係る表示制御装置の動作を示すフローチャート図、図５（Ａ），（Ｂ）は、注目画像の上にポインタを位置させたときの実施例に係る表示制御装置の動作説明に供する図、図６（Ａ），（Ｂ）は、注目画像のポインタ指示位置を後方向に移動させたときの実施例に係る表示制御装置の動作説明に供する図、図７（Ａ），（Ｂ）は、注目画像のポインタ指示位置を前方向に移動させたときの実施例に係る表示制御装置の動作説明に供する図である。
【００５７】
前提として、動画データと、該動画データに関連するスライド画像データと、これらの同期再生データを含む会議用コンテンツとがダウンロードされており、この会議用コンテンツの再生操作がなされたものとする。
【００５８】
図４に示すように、ステップＳ１１では、スライド全数量取得処理が実行される。この処理は、前記ＸＭＬファイル５５に記述された”スライド全数量”情報を参照することで実行される。
【００５９】
ステップＳ１２では、拡大スライドサイズ取得処理が実行される。この処理は、前記ＸＭＬファイル５５に記述された”拡大スライドサイズ”情報を参照することで実行される。この”拡大スライドサイズ”情報には、注目スライドの前記縮小画像サイズに対する拡大率（拡大画像サイズでも可）と、注目スライドの拡大に伴ってその拡大率を漸次小さくすることで全体として山なり形状を形成する準拡大スライド群の枚数と、前記縮小画像列表示領域４１ａの長手方向サイズＬに対する前記注目スライド及び前記準拡大スライド群（以下、注目スライド及び準拡大スライド群を総称して拡大スライド群と呼ぶ。）の占有率とが含まれる。
【００６０】
ステップＳ１３では、画像サイズ演算処理が実行される。この処理は、縮小画像サイズ演算処理と、微細画像サイズ演算処理とを含む。
【００６１】
前記縮小画像サイズ演算処理とは、縮小画像列４１の縮小画像４２の上にポインタ３２が位置していないときの、縮小画像列４１のうち個々の縮小画像４２のサイズ（縮小画像サイズ）を求める処理をいう。
【００６２】
前記微細画像サイズ演算処理とは、縮小画像列４１の縮小画像４２の上にポインタ３２が位置してるときの、縮小画像列４１のうち微細画像４３のサイズ（微細画像サイズ）を求める処理をいう。
【００６３】
前記画像サイズ演算処理は、ステップＳ１１で取得した”スライド全数量”情報と、ステップＳ１２で取得した”拡大スライドサイズ”情報と、予め設定された縮小画像列表示領域４１ａの長手方向サイズＬと、に基づいて実行される。
【００６４】
これについて、図５（Ａ）を例示して説明する。前記縮小画像サイズ演算処理では、”スライド全数量”が”１５枚”であるから、この１５枚に、前記縮小画像列表示領域４１ａの長手方向サイズＬをそれぞれ比例配分する演算を行う（１枚あたり長手方向サイズＬの約６．７％、以下、百分率表示を行う際に、基準となるのは長手方向サイズＬである。）ことによって、縮小画像サイズを求めることができる。
【００６５】
また、前記微細画像サイズ演算処理では、”スライド全数量”が”１５枚”であり、”拡大スライドサイズ”のうち拡大スライド群の枚数が７枚（注目画像を含む）であり、前記拡大スライド群の占有率が７５％であるとする。この場合、縮小画像に係るスライド枚数は、（１５枚−７枚）＝８枚である。この８枚に、前記縮小画像列表示領域４１ａの長手方向サイズＬのうち２５％を比例配分する演算（１枚あたり３．１％余り）を行うことによって、微細画像サイズを求めることができる。
【００６６】
ステップＳ１４では、縮小画像列４１を通常表示する。この通常表示処理を実行するにあたっては、ステップＳ１３で求めた縮小画像サイズを参照する。
【００６７】
ステップＳ１５では、前記縮小画像列４１に対するポインタ指示の有無を判定する。この判定は、前記ディスプレイ３３の表示画面上に表示されたポインタ３２が、前記縮小画像列４１の画像の上に位置付けられたか否かに係る、前記位置検知部３５の検知結果を参照することによって実行される。
【００６８】
ステップＳ１５の判定の結果、前記縮小画像列４１に対するポインタ指示が無いと判定されたとき、ＣＰＵ１３は、処理の流れをステップＳ１５の上流側に戻し、以下の処理を繰り返し実行させる。
【００６９】
一方、ステップＳ１５の判定の結果、前記縮小画像列４１に対するポインタ指示が有ると判定されたとき、表示制御部３７は、注目画像の拡大表示処理を実行する。すなわち、表示制御部３７は、前記のポインタ指示がなされた注目画像Ｔをその他の画像より拡大して、当該縮小画像列４１を前記ディスプレイ３３の表示画面上に表示する（ステップＳ１６）。
【００７０】
本発明でいう「その他の画像」とは、注目画像Ｔを除く全ての画像を意味する。具体的には、図５（Ａ），（Ｂ）に示すように、前記縮小画像サイズを有する縮小画像４２、前記微細画像サイズを有する微細画像４３、及び前記準拡大スライド群に属する各画像７７ａ，７７ｂが、前記「その他の画像」に相当する。
【００７１】
ステップＳ１６の拡大表示処理について、図３、図５（Ａ）及び（Ｂ）を参照して説明する。
【００７２】
図５（Ａ）に示す例では、図３に示す縮小画像列４１のうち”８番目画像”の上にポインタ３２が位置付けられた場合の拡大表示態様を示している。
【００７３】
この注目画像Ｔ（８番目画像）の拡大表示に伴って、前記縮小画像列４１のうち同注目画像Ｔの両脇から所定間隔（図５（Ａ）の例では画像３コマ）を越えた範囲に存する微細画像４３は、ステップＳ１３で求めた微細画像サイズをもって微細表示される。なお、前記所定間隔は、前記ＸＭＬファイル５５に予め記述されている。
【００７４】
また、前記注目画像Ｔ（８番目画像）の拡大表示に伴って、前記縮小画像列４１のうち同注目画像Ｔの両脇から所定間隔以内の範囲に存する画像７７ａ，７７ｂは、前記微細画像サイズの画像４３と比べて拡大して表示される。
【００７５】
特に、前記注目画像Ｔの両脇直近に存する画像７７ａ１，７７ｂ１は、当該注目画像Ｔと比べると小さいが、前記縮小画像サイズの縮小画像４２と比べて拡大して表示される。
【００７６】
また、前記画像７７ａ１，７７ｂ１の両脇直近に存する画像７７ａ２，７７ｂ２は、当該画像７７ａ１，７７ｂ１と比べると小さいが、前記縮小画像サイズの縮小画像４２と比べて拡大して表示される。
【００７７】
そして、前記画像７７ａ２，７７ｂ２の両脇直近に存する画像７７ａ３，７７ｂ３は、当該画像７７ａ２，７７ｂ２と比べて小さく、かつ、前記縮小画像サイズの縮小画像４２と比べて同等程度か、又は僅かに縮小して表示される。ただし、前記画像７７ａ３，７７ｂ３は、前記微細画像４３と比べると拡大して表示される。
【００７８】
要するに、前記注目画像Ｔ（８番目画像）の拡大表示に伴って、前記縮小画像列４１のうち前記注目画像Ｔの両脇から所定間隔（図５（Ａ）の例では画像３コマ）以内の範囲に存する画像７７ａ，７７ｂは、前記注目画像Ｔを頂点として前記拡大を漸次小さくした山なり形状をもって表示される。
【００７９】
前記注目画像Ｔ（８番目画像）の表示領域７１内には、不感帯領域７３が存在する。この不感帯領域７３の範囲内にポインタ３２が位置付けられている限りにおいて、当該注目画像Ｔ（８番目画像）は継続して拡大表示される。
【００８０】
前記注目画像Ｔの不感帯領域７３は、図５（Ｂ）に参考的に対比して示すように、当該縮小画像列４１の上に前記ポインタ３２が位置していないときに当該注目画像Ｔに対応する縮小画像が占める表示領域に基づいて設定される。具体的には、前記注目画像Ｔ（８番目画像）の例では、その不感帯領域７３は、図５（Ｂ）に示すように、前記注目画像Ｔに対応する縮小画像（８番目画像）が占める表示領域４１ｂの位置及び前後長が同一に設定されている。
【００８１】
ステップＳ１７では、ポインタ指示位置が移動したか否かを判定する。この判定は、前記ディスプレイ３３の表示画面上に表示されたポインタ３２が、前記注目画像Ｔの表示領域７１内であって、前記不感帯領域７３の範囲内に位置付けられているか否かに係る、前記位置検知部３５の検知結果を参照することによって実行される。
【００８２】
ステップＳ１５の判定の結果、前記ポインタ３２が、前記注目画像Ｔの表示領域７１内であって、前記不感帯領域７３の範囲内に位置付けられていると判定されたとき、ＣＰＵ１３は、処理の流れをステップＳ１７の上流側に戻し、以下の処理を繰り返し実行させる。
【００８３】
一方、ステップＳ１７の判定の結果、前記ポインタ３２が、前記注目画像Ｔの表示領域７１内であるが、前記不感帯領域７３の範囲から外れたと判定されたとき、表示制御部３７は、新しい注目画像の拡大表示処理を実行する。すなわち、表示制御部３７は、前記外れて位置している側に隣接する画像を新しい注目画像ＮＴとみなして、前記注目画像Ｔであった画像７１に代えて、その他の画像より拡大して、前記縮小画像列４１を前記ディスプレイ３３の表示画面上に表示する。
【００８４】
上記新しい注目画像の拡大表示処理について、図６（Ａ），（Ｂ）並びに図７（Ａ），（Ｂ）を参照して説明する。
【００８５】
図６（Ａ），（Ｂ）に示す例は、前記縮小画像列４１のうち”８番目画像”の不感帯領域７３の範囲内に前記ポインタ３２が位置付けられている状態下で、前記ポインタ３２が後側（９番目画像側）に移動した場合の拡大表示遷移態様を示している。この例では、前記注目画像Ｔであった画像７１に代えて、新しい注目画像（９番目画像）７５ａが新規に拡大表示される。
【００８６】
前記注目画像Ｔであった画像に代えて前記新しい注目画像ＮＴを拡大表示するにあたり、その切り替えは、視覚的な円滑さを確保した態様をもって表示される。具体的には、前記注目画像Ｔであった画像では、拡大画像サイズから準拡大画像サイズの画像７７ａ１まで経時的に徐々に小さくなってゆく。これと同時に、前記新しい注目画像ＮＴでは、準拡大画像サイズの画像７７ｂ１から拡大画像サイズまで経時的に徐々に大きくなってゆく。
【００８７】
従って、注目画像の遷移を、視覚的な円滑さを確保した態様をもって表示することができる。
【００８８】
前記注目画像Ｔであった画像に代えて前記新しい注目画像ＮＴを拡大表示するのに伴って、前記縮小画像列４１のうち当該注目画像ＮＴの両脇から所定間隔（図６（Ａ）の例では画像３コマ）以内の範囲に存する画像７７ａ，７７ｂは、当該注目画像ＮＴを頂点として前記拡大を漸次小さくした山なり形状をもって表示される。
【００８９】
一方、図７（Ａ），（Ｂ）に示す例は、前記縮小画像列４１のうち”８番目画像”の不感帯領域７３の範囲内に前記ポインタ３２が位置付けられている状態下で、前記ポインタ３２が前側（７番目画像側）に移動した場合の拡大表示遷移態様を示している。この例では、前記注目画像Ｔであった画像７１に代えて、新しい注目画像（７番目画像）７５ｂが新規に拡大表示される。
【００９０】
前記注目画像Ｔであった画像に代えて前記新しい注目画像ＮＴを拡大表示するにあたり、その切り替えは、前述と同様に、視覚的な円滑さを確保した表示態様をもって遂行される。従って、注目画像の遷移を、視覚的な円滑さを確保した態様をもって表示することができる。
【００９１】
前記注目画像Ｔであった画像に代えて前記新しい注目画像ＮＴを拡大表示するのに伴って、前記縮小画像列４１のうち当該注目画像ＮＴの両脇から所定間隔（図６（Ａ）の例では画像３コマ）以内の範囲に存する画像７７ａ，７７ｂは、前述と同様に、当該注目画像ＮＴを頂点として前記拡大を漸次小さくした山なり形状をもって表示される。
【００９２】
以上説明したように、本発明の実施例に係る表示制御装置１１によれば、表示制御部３７は、拡大された注目画像Ｔの表示領域内であって、該表示領域内に存して前記ポインタ３２の位置に関わらず前記注目画像Ｔの拡大を維持する不感帯領域７３から外れてポインタ３２が位置していると位置検知部３５で検知されたとき、当該外れて位置している側に隣接する画像を新しい注目画像ＮＴとみなして、前記注目画像Ｔであった画像７１に代えて、その他の画像より拡大して、縮小画像列４１を表示画面上に表示するので、従って、興味を引くコンテンツを簡易な操作で検索し得る表示制御態様を実現することができる。
【００９３】
また、上記実施例に係る表示制御装置において、前記注目画像Ｔの不感帯領域７３は、当該注目画像Ｔに対応する縮小画像が占める表示領域に基づいて設定された、構成を採用してもよい。
【００９４】
このように構成すれば、前記縮小画像列４１において連続した隣接画像同士の各間をシームレスにまたぎながら各画像を順次拡大表示させることができる。従って、連続した隣接画像同士の間をまたぐ際のポインタの動きが円滑で違和感を生じることがないといった意味で、直感的な操作に優れた表示制御態様を実現することができる。
【００９５】
さらに、前記表示制御部３７は、前記注目画像Ｔを頂点として前記拡大を漸次小さくした山なり形状で前記縮小画像列４１を前記表示画面上に表示する、構成を採用してもよい。
【００９６】
このように構成すれば、前記縮小画像列４１の複数の画像のうち注目画像Ｔを頂点とし、その拡大を漸次小さくした山なり形状をもって、注目画像Ｔの両脇の画像のうち所定間隔以内の範囲に存する準拡大画像７７ａ，７７ｂが、微細画像サイズの微細画像４３と比べて拡大して表示されるので、かかる準拡大画像の一見把握性を高めることができる。特に、注目画像Ｔの両脇直近に存する画像７７ａ１，７７ｂ１では、前記縮小画像サイズの縮小画像４２と比べてじゅうぶんに拡大されたサイズで表示されるので、その一見把握性を格段に高めることができる。
【００９７】
一方、注目画像の選択操作によって該注目画像に係る静止画像及び該静止画像に関連する動画像のうち少なくとも一方を再生可能な画像再生装置に用いられる実施例に係る表示制御方法では、表示画面上に、静止画像、該静止画像に関連する動画像、同静止画像の縮小画像が帯状に複数連なる縮小画像列４１、並びに当該表示画面上の位置を指示するポインタ３２を表示する画像表示工程と、前記ポインタ３２の位置を検知する位置検知工程と、前記縮小画像列４１の画像のうちいずれかの注目画像の上に前記ポインタ３２が位置していると前記位置検知工程で検知されたとき、当該注目画像Ｔをその他の画像より拡大して、当該縮小画像列４１を前記表示画面上に表示する表示制御工程と、を備える構成を前提として、前記表示制御工程では、前記拡大された注目画像Ｔの表示領域内であって、該表示領域内に存して前記ポインタ３２の位置に関わらず前記注目画像Ｔの拡大を維持する不感帯領域７３から外れて当該ポインタ３２が位置していると前記位置検知工程で検知されたとき、当該外れて位置している側に隣接する画像を新しい注目画像ＮＴとみなして、前記注目画像Ｔであった画像に代えて、その他の画像より拡大して、前記縮小画像列４１を前記表示画面上に表示する、構成を採用することとした。
【００９８】
上記実施例に係る表示制御方法によれば、興味を引くコンテンツを簡易な操作で検索し得る表示制御態様を実現することができる。
【００９９】
他方、表示画面上に、静止画像、該静止画像に関連する動画像、同静止画像の縮小画像が帯状に複数連なる縮小画像列４１、並びに当該表示画面上の位置を指示するポインタ３２を表示する画像表示工程と、前記ポインタ３２の位置を検知する位置検知工程と、前記縮小画像列４１の画像のうちいずれかの注目画像Ｔの上に前記ポインタ３２が位置していると前記位置検知工程で検知されたとき、当該注目画像Ｔをその他の画像より拡大して、当該縮小画像列４１を前記表示画面上に表示する表示制御工程と、を、前記注目画像Ｔの選択操作によって該注目画像Ｔに係る静止画像及び該静止画像に関連する動画像のうち少なくとも一方を再生可能な画像再生機能を有するコンピュータに実現させる表示制御プログラムを前提として、前記表示制御工程では、前記拡大された注目画像Ｔの表示領域内であって、該表示領域内に存して前記ポインタ３２の位置に関わらず前記注目画像Ｔの拡大を維持する不感帯領域７３から外れて当該ポインタ３２が位置していると前記位置検知工程で検知されたとき、当該外れて位置している側に隣接する画像を新しい注目画像ＮＴとみなして、前記注目画像Ｔであった画像に代えて、その他の画像より拡大して、前記縮小画像列４１を前記表示画面上に表示する、構成を採用することとした。
【０１００】
上記実施例に係る表示制御プログラムによれば、興味を引くコンテンツを簡易な操作で検索し得る表示制御態様を実現することができる。
【０１０１】
また、上記実施例に係る表示制御プログラムにおいて、前記注目画像Ｔの不感帯領域７３は、当該注目画像Ｔに対応する縮小画像が占める表示領域に基づいて設定された、構成を採用してもよい。
【０１０２】
このように構成すれば、前記縮小画像列４１において連続した隣接画像同士の各間をシームレスにまたぎながら各画像を順次拡大表示させることができる。従って、連続した隣接画像同士の間をまたぐ際のポインタの動きが円滑で違和感を生じることがないといった意味で、直感的な操作に優れた表示制御態様を実現することができる。
【０１０３】
さらに、前記表示制御部３７は、前記注目画像Ｔを頂点として前記拡大を漸次小さくすることで全体として山なり形状をもって前記縮小画像列４１を前記表示する、構成を採用してもよい。
【０１０４】
このように構成すれば、前記縮小画像列４１の複数の画像のうち注目画像Ｔを頂点とし、その拡大を漸次小さくした山なり形状をもって、注目画像Ｔの両脇の画像のうち所定間隔以内の範囲に存する準拡大画像７７ａ，７７ｂが、微細画像サイズの微細画像４３より拡大表示されるので、かかる準拡大画像７７ａ，７７ｂの一見把握性を高めることができる。特に、注目画像Ｔの両脇直近に存する画像７７ａ１，７７ｂ１では、前記縮小画像サイズの縮小画像４２と比べてじゅうぶんに大きなサイズに拡大表示されるので、その一見把握性を格段に高めることができる。
【０１０５】
最後に、上記実施例に係る表示制御プログラムは、例えば、半導体メモリ、磁気ディスク、光ディスク、光磁気ディスク、磁気テープなどのコンピュータが読み取り可能な記録媒体に記録したり、インターネットなどのネットワークを介して伝送させたりして、流通性を高めることができる。
［その他］
本発明は、上述した実施例に限られるものではなく、請求の範囲及び明細書全体から読み取れる発明の要旨、あるいは技術思想に反しない範囲で適宜変更可能であり、そのような変更を伴う表示制御装置、表示制御方法、表示制御プログラム、及び表示制御プログラムを記録した記録媒体もまた、本発明における技術的範囲の射程に包含される。
【０１０６】
すなわち、本発明の実施例中、注目スライドの拡大に伴って拡大される拡大スライド群の枚数（注目スライドそのものを含む。）を７枚に設定する例をあげて説明したが、本発明はこの例に限定されない。前記拡大スライド群の枚数を、例えば３枚、５枚、９枚等に変えたものも、本発明の技術的範囲の射程に包含される。
【０１０７】
また、本発明の実施例中、前記拡大スライド群が有する山なり形状を、前記注目スライドを頂点として左右対称に設定する例をあげて説明したが、本発明はこの例に限定されない。前記拡大スライド群が有する山なり形状を、例えば、拡大スライド群のうち左側のスライド枚数を１枚とし、右側のスライド枚数を３枚とするなど、左右非対称に設定したものも、本発明の技術的範囲の射程に包含される。
【０１０８】
最後に、本発明の実施例中、注目画像Ｔの選択操作によって該注目画像Ｔに係る静止画像に関連する動画像を同期再生可能な画像再生装置を本発明の前提構成として例示して説明したが、本発明はこの例に限定されない。前記注目画像Ｔの選択操作によって該注目画像Ｔに係る静止画像及び該静止画像に関連する動画像のうち少なくとも一方を再生可能な画像再生装置を本発明の前提構成としたものも、本発明の技術的範囲の射程に包含されることはいうまでもない。
【符号の説明】
【０１０９】
１１  表示制御装置
３２  ポインタ
３５  位置検知部
３７  表示制御部
３９  画像表示部
４１  縮小画像列
４２  縮小画像サイズの画像（その他の画像）
４３  微細画像サイズの画像（その他の画像）
７１  注目画像の表示領域
７３  不感帯領域
７７ａ，７７ｂ  準拡大画像（その他の画像）
７７ａ１，７７ｂ１  注目画像の両脇直近に存する画像（その他の画像）
Ｔ    注目画像
ＮＴ  新しい注目画像
【図１】
2011076434.tif 000003
【図２】
2011076434.tif 000004
【図３】
2011076434.tif 000005
【図４】
2011076434.tif 000006
【図５】
2011076434.tif 000007
【図６】
2011076434.tif 000008
【図７】
2011076434.tif 000009